(57)【要約】【課題】携帯可能な放送受信装置において、簡単に視聴予約や録画予約を可能にすることを目的とする。【解決手段】放送信号受信手段と、文字情報を含む動画ファイルを記憶する記憶手段と、  前記動画ファイルの文字情報から、当該動画ファイルが放送された映像であるか否かを判断する判断手段と、この判断手段によってされた放送された映像であると判定すると、前記文字情報に含まれる詳細情報に基づいて前記放送信号受信手段の動作を制御する制御手段とを備えることにより、簡単に視聴予約や録画予約が可能となる。【選択図】図２
2006319551.tif 000002
【特許請求の範囲】
【請求項１】
放送信号受信手段と、
文字情報を含む動画ファイルを記憶する記憶手段と、
前記動画ファイルの文字情報から、当該動画ファイルが放送された映像であるか否かを判断する判断手段と、
この判断手段によってされた放送された映像であると判定すると、前記文字情報に含まれる詳細情報に基づいて前記放送信号受信手段の動作を制御する制御手段と、
を備えることを特徴とする放送受信装置。
【請求項２】
前記放送信号受信手段によって受信された映像を記録する映像記録手段を更に備えることを特徴とする請求項１に記載の放送受信装置。
【請求項３】
前記詳細情報とは、前記映像が放送された放送時間であることを特徴とする請求項１又は２に記載の放送受信装置。
【請求項４】
前記詳細情報とは、前記映像が放送された放送局番号であることを特徴とする請求項１又は２に記載の放送受信装置。
【請求項５】
番組表受信手段と、
この受信手段によって受信された番組表を記憶する番組表記憶手段とを更に備え、
前記制御手段は、前記文字情報に含まれる詳細情報と前記番組表記憶手段に記憶されている番組表とを照合して、前記映像が放送予定に含まれているか否かをする照合手段と
を更に備え、
前記制御手段は、この照合手段により前記映像が放送予定に含まれている場合に前記放送信号受信手段の動作を制御することを特徴とする請求項１又は２に記載の放送受信装置。
【請求項６】
前記記憶手段は当該装置に対し着脱可能な記録媒体であり、
前記動画ファイルは、外部の機器によって記録された映像から生成されたものであることを特徴とする請求項１乃至５の何れかに記載の放送受信装置。
【請求項７】
予めメモリに記憶されている動画ファイルから当該動画ファイルが放送された映像であるか否かを判断する判断ステップと、
この判断ステップにて放送された映像であると判定すると、この動画ファイルに含まれている文字情報に基づいて放送信号受信部の動作を制御する制御ステップと
からなることを特徴とする放送信号受信方法。
【請求項８】
コンピュータに、
予めメモリに記憶されている動画ファイルから当該動画ファイルが放送された映像であるか否かを判断する判断手段、
この判断手段によって放送された映像であると判定すると、この動画ファイルに含まれている文字情報に基づいて放送信号受信部の動作を制御する制御手段
として機能させることを特徴とする放送信号受信プログラム。
【発明の詳細な説明】
【技術分野】
【０００１】
本発明は、携帯可能な放送受信装置、及び、放送信号受信方法に関する。
【背景技術】
【０００２】
近年、ＨＤＤ（Ｈａｒｄ  Ｄｉｓｋ  Ｄｒｉｖｅ）やＤＶＤ（Ｄｉｇｉｔａｌ  Ｖｅｒｓａｔｉｌｅ  Ｄｉｓｋ）等の大容量の記憶メディアを用いた家庭用録画再生装置が普及している。この録画再生装置の普及に伴い、ユーザはこれらの録画再生装置を用いて、毎日、又は、毎週放送されている同一番組を繰り返し録画することが容易に行えるようになっている。さらに、この番組録画において、ユーザからの明示的な録画指示がない場合でも、視聴や録画の履歴などから録画すべき番組を自動的に選択して再生及び録画することが可能な録画再生装置が開示されている（特許文献１、参照。）。
【特許文献１】特開２００４−０４８７１８号公報
【発明の開示】
【発明が解決しようとする課題】
【０００３】
ところで、最近では携帯電話の多機能化が進み、ＴＶチューナを備え、録画機能を有するものも開発されている。
【０００４】
しかしながら、このＴＶチューナーを内蔵した携帯電話を用いてユーザが所望する放送番組を視聴予約する場合、ユーザ自身がその放送番組の予定を把握し、スケジュールアラームとして設定する必要があった。また、携帯可能であり、何処でも視聴できるという反面、視聴予約した日時時刻にユーザが必ずしも視聴可能な状況にあるとは限らず、ユーザは所望する番組を見逃してしまうという問題があった。
【０００５】
本発明の課題は、携帯可能な放送受信装置において、簡単に視聴予約や録画予約を可能にすることを目的とする。
【課題を解決するための手段】
【０００６】
上記課題を解決するために、請求項１に記載の発明は、放送信号受信手段と、文字情報を含む動画ファイルを記憶する記憶手段と、前記動画ファイルの文字情報から、当該動画ファイルが放送された映像であるか否かを判断する判断手段と、この判断手段によってされた放送された映像であると判定すると、前記文字情報に含まれる詳細情報に基づいて前記放送信号受信手段の動作を制御する制御手段とを備えることを特徴としている。
【０００７】
請求項２に記載の発明は、請求項１に記載の放送受信装置において、前記放送信号受信手段によって受信された映像を記録する映像記録手段を更に備えることを特徴としている。
【０００８】
請求項３に記載の発明は、請求項１又は２に記載の放送受信装置において、前記詳細情報とは、前記映像が放送された放送時間であることを特徴としている。
【０００９】
請求項４に記載の発明は、請求項１又は２に記載の放送受信装置において、前記詳細情報とは、前記映像が放送された放送局番号であることを特徴としている。
【００１０】
請求項５に記載の発明は、請求項１又は２に記載の放送受信装置において、番組表受信手段と、この受信手段によって受信された番組表を記憶する番組表記憶手段とを更に備え、前記制御手段は、前記文字情報に含まれる詳細情報と前記番組表記憶手段に記憶されて
いる番組表とを照合して、前記映像が放送予定に含まれているか否かをする照合手段と
を更に備え、前記制御手段は、この照合手段により前記映像が放送予定に含まれている場合に前記放送信号受信手段の動作を制御することを特徴としている。
【００１１】
請求項６に記載の発明は、請求項１乃至５の何れかに記載の放送受信装置において、前記記憶手段は当該装置に対し着脱可能な記録媒体であり、前記動画ファイルは、外部の機器によって記録された映像から生成されたものであることを特徴としている。
【００１２】
請求項７に記載の発明は、予めメモリに記憶されている動画ファイルから当該動画ファイルが放送された映像であるか否かを判断する判断ステップと、この判断ステップにて放送された映像であると判定すると、この動画ファイルに含まれている文字情報に基づいて放送信号受信部の動作を制御する制御ステップとからなることを特徴としている。
【００１３】
請求項８に記載の発明は、コンピュータに、予めメモリに記憶されている動画ファイルから当該動画ファイルが放送された映像であるか否かを判断する判断手段、この判断手段によって放送された映像であると判定すると、この動画ファイルに含まれている文字情報に基づいて放送信号受信部の動作を制御する制御手段として機能させることを特徴としている。
【発明の効果】
【００１４】
本発明によれば、文字情報を含む動画ファイルを記憶することで、その文字情報に基づいて、ＴＶチューナー又は地上波デジタルチューナーを制御させることができるので、例えば、定期的に録画していた放送番組について、移動先でもリアルタイムで楽しむことが可能となる。また、文字情報に基づいて簡単に視聴予約や録画予約も可能となる。
【発明を実施するための最良の形態】
【００１５】
以下、図を参照して、本発明の実施形態について詳細に説明する。なお、以下説明において、携帯通信端末は携帯電話とするが、これに限定されない。
【００１６】
図１は、本実施形態に係るシステム全体の構成を示す図である。
【００１７】
本発明を適用した携帯電話１は、基地局１７３を利用した無線通信回線による音声通話サービス及びパケットデータ通信サービスを提供するサービス事業者１７０と接続する機能を有する。音声通話サービスについては、基地局１７３を介した無線信号Ｒ１を介して他の携帯電話１７４と音声通話を行い、一方、パケットデータ通信サービスについては、基地局１７３、サービス事業者１７０を介して、ＷＷＷ等の公開情報通信網２００を介して所望のデータを受信・記憶する。尚、サービス事業者１７０は、サービス加入が所有する携帯電話同士を接続する回線接続手段の他、公開情報網２００へアクセスするためのシステム、例えば、Ｗｅｂサーバやゲートウェイサーバを備えている。
【００１８】
一方、携帯電話１は、映像コンテンツを蓄積するデータベース１５１を管理する放送局１５０から放送アンテナ１５２を介して放送信号Ｂ２を受信する機能を備えている。
放送局１５１は映像データベース１５１に蓄積された映像コンテンツ（番組）をＭＰＥＧ−２ＴＳ方式で符号化した映像データを配信する１２セグメントと、Ｈ．２６４方式で符号化された映像コンテンツを配信する１セグメントとからなる１３セグメントをＯＦＤＭによる変調方式で多重化し、放送アンテナ１５０を介して配信する。
【００１９】
受像機１５３は、上記１３セグメントを全て受信し、ＭＰＥＧ−２ＴＳ方式で変調された映像コンテンツを復調して再生するが、携帯電話１では、上記１セグメントを受信し、Ｈ．２６４方式で符号化された映像コンテンツを復調して再生する。
【００２０】
尚、放送局１５０は、映像コンテンツのみでなく、その映像コンテンツの内容を紹介するデータ（以下放送内容と称する）も多重化して配信し、このデータについては、受像機１５３でも携帯電話１でも受信される。
【００２１】
映像記録装置１５４は、ハードディスクドライブや、光学的、もしくは、磁気的に入力されたデータを記録する記録媒体を内蔵している。また、映像記録装置１５４は受像機１５３と接続されており、ＭＰＥＧ−２ＴＳ方式の映像コンテンツ及び放送内容を対応付けて、記録媒体に記録する他、この記録された映像コンテンツ及び放送内容を所望のサイズでＡＳＦ形式の動画ファイルに変換し、記憶媒体３３１に格納する変換処理部１５５を備えている。
【００２２】
番組表提供サービス会社１６０は、放送局１５０の配信予定を記憶する番組表データを蓄積するデータベース１６１を備え、携帯電話１からの要求に応じて、番組表データを公開情報通信網２００、サービス事業者１７０、基地局１７３を介して携帯電話１に提供する。尚、番組表提供サービス会社１６０は、公開情報網２００へアクセスするためのシステム、例えば、Ｗｅｂサーバやゲートウェイサーバを備え、放送局１５０から提供される配信予定を定期的に取得し、データベース１６１に蓄積している。
【００２３】
次に携帯電話１について説明する。
【００２４】
図２は本実施形態に係る携帯電話１の蓋を開いた状態と閉じた状態の正面図に相当する外観図である。図２（ａ）は、携帯電話１の蓋を開いた状態を示し、図２（ｂ）は、携帯電話１の蓋を閉じた状態（蓋側）を示し、図２（ｃ）は、携帯電話１の蓋を閉じた状態（裏面側）を示している。
【００２５】
図２に示すように、蓋部２は、本体部３に対し第１ヒンジ部１００を回転軸として開閉可能（矢印α）に配置されているほか、第２ヒンジ部１２を回転軸として回転可能（矢印β）になっている。蓋部２は、第１スピーカ５、表示部６、データ通信用の内蔵アンテナ（図示略）を内蔵している。第１スピーカ５は、ダイナミックスピーカであり、蓋部２の内面に配置されている。表示部６は、蓋部２の内面に配置され、１６：９のアスペクト比の映像表示が可能な２．７ｉｎｃｈ（２４０×４２８ドット）のＴＦＴ液晶（ＱＶＧＡもしくは、ＨＶＧＡ相当の解像度を備える）で構成され、動画ファイルに基づく動画を再生表示する。なお、以下、動画ファイルとは、動画データとこの動画データの詳細な内容を含むＡＳＦ形式の文字情報データから構成され、記憶媒体３３１には、これらの動画ファイルが複数保存されているとする。
【００２６】
第１ヒンジ部１００は、蓋部２に連繋されて当該蓋部２と一体的に回転する可動部１０１と、本体部３側に固定されるとともに可動部１０１の両側に設けられた左右一対の固定部１０２、１０３とで構成されている。
【００２７】
本体部３は、キー入力部８とマイク１０とを備える。キー入力部８は、決定キー８１、カーソルキー８２、ファンクションキー８３、ファンクションキー８４、及び、テンキー部８５を備え、キーの押下操作に対応する操作信号を第１制御部２０又は第２制御部２２へ出力する。また、本体部３の背面には、撮影するための撮像レンズ１７及び着信音やアラーム、メロディなどを再生するためのスピーカ７Ｒ、７Ｌが配置されている。
【００２８】
図３に、携帯電話１の回路構成を示すブロック図を示す。
【００２９】
受信信号処理部１８は、後述の第２制御部２２からの制御信号に基づいて、アンテナ１
６をチューニングし、且つ、ＴＶチューナー又は地上波デジタルチューナー９を起動させる等の処理を行う。一方通信信号処理部１９は、アンテナ１１を介した基地局１７３とのネゴシエーション（端末認証、回線接続）を開始し、通信帯域幅を一時的に占有する処理を行う。尚アンテナ１１により受信された無線信号より自機宛に符号変調された信号を抽出して、通信データ処理部２０２に出力する。
【００３０】
また、通信信号処理部１９は、待受け状態においても、データ通信モードにおいても、常に電源供給されており、通信データ処理部２０２からのデジタル変調信号（送信音声データ、メールデータ、ネットワーク接続情報を含むパケットデータ）を、符号変調してアンテナ１１より出力する。また、一方で、基地局１７３より送信され、アンテナ１１により受信された無線信号より自機宛に符号変調された信号を抽出し、通信データ処理部２０２に出力する。
【００３１】
映像コンテンツ及び放送内容を受信するＴＶチューナー又は地上波デジタルチューナー９は、アンテナ１６により入力された信号を人間がみることのできる映像信号に変換する。そして、変換した信号を第１制御部２０へ出力する。また、ＴＶチューナー又は地上波デジタルチューナー９は、第２制御部２２からの指示を受信すると、受信した情報を基に、アンテナ１６を通じて指定されたチャンネルの映像コンテンツ及び放送内容の受信を開始する。例えば、所望の放送局の放送番組を受信するように指示を受けると、放送信号Ｂ２を判別し、指定された放送番組を受信する。
【００３２】
ここで、放送内容にはその放送番組の詳細情報である、放送曜日、放送時間、放送チャンネル等が含まれる。
【００３３】
第１制御部２０は、基地局１７３、及びその後段にあたる、サービス事業者１７０、公開情報通信網２００を介して接続される任意のコンピュータ上にある情報資源との接続制御を中心とした処理を行う。なお、本実施の形態においては、携帯電話１は、２つの制御部を備えており、通信処理全般については第１制御部２０、その他、撮影処理、画像処理、映像の再生処理、放送信号Ｂ２の受信処理に関しては後述の第２制御部２２で行う。
【００３４】
また、第１制御部２０は、スイッチ回路２０１、通信データ処理部２０２、システムＲＯＭ（Ｒｅａｄ  Ｏｎｌｙ  Ｍｅｍｏｒｙ）２０３、インターフェース処理部２０４、音声処理部２０５により構成される。
【００３５】
通信データ処理部２０２は、音声処理部２０５より出力されたＣＥＬＰ（Ｃｏｄｅ−Ｅｘｃｉｔｅｄ Ｌｉｎｅａｒ Ｐｒｅｄｉｃｔｉｏｎ）系デジタル音声データをＰＳＫ（Ｐｈａｓｅ Ｓｈｉｆｔ Ｋｅｙｉｎｇ）系方式に対応する信号に変調、及び拡散符号に変調するとともに、受信信号処理部１８、通信信号処理部１９にて受信される符号変調された信号をＰＳＫ系方式、及び／又は、ＱＡＭ（Ｑｕａｄｒａｔｕｒｅ Ａｍｐｌｉｔｕｄｅ Ｍｏｄｕｌａｔｉｏｎ）系方式のデジタル信号に復号する処理を行う。
【００３６】
システムＲＯＭ２０３は、通信制御のための制御プログラムを格納する。
【００３７】
インターフェース処理部２０４は、携帯電話１の動作のうち着信割り込み時において、第１制御部２０と第２制御部２２の並行処理を行うが、これらの処理に伴うバスへのアドレス／データの割り込み処理を実行する。
【００３８】
音声処理部２０５は、ＣＥＬＰ系の音声変調／復調システムと、ＭＰＥＧ（Ｍｏｖｉｎｇ Ｐｉｃｔｕｒｅ Ｅｘｐｅｒｔｓ Ｇｒｏｕｐ）オーディオ系の音声復調システムとを備え、通話状態においては、音声処理部２０５から出カされるアナログ音声を第１スピー
カ５から出力させる。
【００３９】
メモリカードスロット３３０には、上述の記憶媒体３３１が装着される。この記憶媒体３３１には、上述の映像記録装置１５４にて記録されたＭＰＥＧ−２ＴＳ方式の映像コンテンツ及び放送内容を変換されたＡＳＦ形式の動画ファイルや、当該携帯電話１で撮影されたＭＰＥＧ−４形式の動画ファイル等が混在して格納されている。
【００４０】
ＲＡＭ（Ｒａｎｄｏｍ  Ａｃｃｅｓｓ  Ｍｅｍｏｒｙ）２４は、第１制御部２０及び第２制御部２２によって実行される各種プログラムをプログラム格納エリアに展開する。また、ＲＡＭ２４は、各種プログラムの実行時に生じる処理結果等のデータをワークエリアに一時的に記憶する。例えば、ＲＡＭ２４は、データ通信処理や、音声通信において必要とされる各種データを記憶する。また、記憶媒体３３１に記憶された複数の動画ファイルのヘッダ情報から取得された放送内容を示す文字情報や当該携帯電話１にて受信された映像コンテンツ（放送番組）を記憶する。
【００４１】
プログラムＲＯＭ２３は、携帯電話１の動作に必要なプログラムの事項に係るデータを格納する。たとえば、ムービー再生モード、カメラモード、ＡＳＦ形式の動画ファイルのヘッダ情報の解析に関する処理プログラムを格納する。例えば、動画ファイルのヘッダ情報から放送内容を示す文字情報を取得するプログラムを格納する。
【００４２】
プログラムＲＯＭ２３は、動画ファイルのヘッダ情報から放送内容を示す文字情報を取得すると、その情報を第２制御部２２へ出力する。第２制御部２２は、その情報に基づいて動画ファイルに定期的な録画情報が有るか否かを判定する。判定した結果、定期的な録画情報が有った場合は、その動画ファイルの定期的な録画情報をインターフェース処理部２０４を介して第１制御部２０へ出力する。第１制御部２０は、定期的な録画情報が入力されると、その定期的な録画情報から、その放送番組の詳細情報を取得し、それらの情報に基づいてＴＶチューナー又は地上波デジタルチューナー９の動作を制御する。
【００４３】
圧縮・伸張処理部２５は、ＭＰＥＧ−４、及び、ＡＳＦ方式に対応し、カメラモードにて撮影された静止画／動画を圧縮処理するとともに、ムービー再生モードにおけるデータ通信モードによりダウンロードしたムービーファイルや、カメラモードにおける静止画／動画、ＳＤカード等の記憶媒体３３１に保存されているＡＳＦ形式の動画ファイル（映像コンテンツ）を伸張処理する。
【００４４】
第２制御部２２は、ムービー再生モードにおけるデータ通信モードによりダウンロードしたムービーファイルや、カメラモードにおける静止画／動画の再生表示処理及びカメラモードにおける撮影処理全般の制御を行う。本実施形態に係る携帯電話１の第２制御部２２は、ＡＳＦ形式の動画ファイルのヘッダ情報を解析し、タイトル（Ｔｉｔｌｅ）がある場合には、その文字列を取得し、カーソルで指示されている動画ファイル（ＡＳＦファイル）に含まれる詳細情報を表示するという処理を行う。また、ＴＶチューナー又は地上波デジタルチューナー９が受信した放送信号により取得した動画ファイルを表示部６へ表示させる等の制御処理を実行する。
【００４５】
スイッチ２１は、第２制御部２２からの制御により、ムービー再生モードにおいては、ムービーファイルに格納されるオーディオデータがステレオ対応である場合、第２スピーカ７Ｒ、第３スピーカ７Ｌの両方に、音声出力系ドライバ３０から出力されたオーディオ信号を出力する。第２スピーカ７Ｌは、報知ドライバ２６によっても駆動され、着信報知音などを再生出力する。
【００４６】
スイッチ処理部２７は、キー入力部８、第１サイドスイッチ９０、第２サイドキー９１
、シャッターキー９２からの操作が行われると、その操作信号に伴って、第１制御部２０、第２制御部２２へ制御信号を出力する。
【００４７】
表示部６は、表示ドライバ６１を備えて構成される。表示ドライバ６１は、第１制御部２０又は第２制御部２２から入力される表示データに基づいて表示部６に各種画像データ等を表示させる。表示部６は、ＬＣＤ（Ｌｉｑｕｉｄ  Ｃｒｙｓｔａｌ  Ｄｉｓｐｌａｙ）等の表示画面を備え、すべての操作を行うために必要な画面である。また、表示ドライバ６１は、表示バッファ６２を有し、データをやり取りする際に、処理速度や転送速度の差を補うために、表示バッファ６２にデータを一時的に保存する。
【００４８】
また、携帯電話１は被写体を写し出すためのカメラレンズ１７を備え、このカメラレンズ１７の後段には、ＣＣＤ（Ｃｈａｒｇｅ Ｃｏｕｐｌｅｄ Ｄｅｖｉｃｅｓ）、もしくはＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）等のイメージセンサと光学ズーム用のステップモータからなる撮像デバイス１７１と、この撮像デバイス１７１で撮り込まれたアナログ信号をデジタル信号に変換し、イメージデータを生成するためのＤＳＰ（Ｄｉｇｉｔａｌ  Ｓｉｇｎａｌ  Ｐｒｏｃｅｓｓｏｒ）１７２とが備えられている。
【００４９】
クレイドル用コネクタ３２は、クレイドル、つまり充電台を兼ねた設置台に設置した際に、設置台からの電力によりバッテリ（図示省略）を充電するためのものであり、コネクタインターフェース３１を介してバスに接続される。
【００５０】
番組表記憶部２８は、番組表提供サービス会社１６０から取得した放送予定の番組表データを記憶する。
【００５１】
ここで、ＡＳＦ形式の動画ファイルについて説明する。なお、以下、動画ファイルは放送番組であるとして説明するが、これに限定されない。
【００５２】
映像記録装置１５４は、映像コンテンツ及び放送内容を記録する際には、ＭＰＥＧ−２ＴＳ方式にて符号化されたものを内部の記録媒体に記録保存する。尚、放送内容（番組タイトル名、放送日時、出演者等の文字情報）は、デジタル地上波放送であれば配信される映像コンテンツや番組配列情報により取得され、記録した映像コンテンツに対応付けて記憶される。また、変換処理部１５５にてＡＳＦ形式の動画ファイルに変換される場合は、先に取得した放送内容は、ＡＳＦフォーマットにより規定される「Ｃｏｎｔｅｎｔ  Ｄｅｓｃｒｉｐｔｉｏｎ  Ｏｂｊｅｃｔ」の「Ｔｉｔｌｅ」部分に挿入される。
【００５３】
まず、図４に、ＡＳＦ形式の動画ファイルのデータ構造を示す概念図を示す。ＡＳＦ形式の動画ファイルは、先頭が、「Ｈｅａｄｅｒ  Ｏｂｊｅｃｔ」、次が実際のデータが格納されている「Ｄａｔａ  Ｏｂｊｅｃｔ」である。該「Ｄａｔａ  Ｏｂｊｅｃｔ」は、複数のＤａｔａ  Ｐａｃｋｅｔから構成されており、各Ｄａｔａ  Ｐａｃｋｅｔは、ＶｉｄｅｏペイロードとＡｕｄｉｏペイロードとから構成されている。最後の「Ｉｎｄｅｘ  Ｏｂｊｅｃｔ」がキーフレームなどの情報を含む部分であり、「Ｓｉｍｐｌｅ  Ｉｎｄｅｘ
Ｏｂｊｅｃｔ」も「Ｉｎｄｅｘ  Ｏｂｊｅｃｔ」の１つである。
【００５４】
次に、図５にＡＳＦフォーマットで規定されている「Ｃｏｎｔｅｎｔ  Ｄｅｓｃｒｉｐｔｉｏｎ  Ｏｂｊｅｃｔ」の構造における概念図を示す。ＡＳＦフォーマットは、先頭が、「Ｃｏｎｔｅｎｔ  Ｄｅｓｃｒｉｐｔｉｏｎ  Ｏｂｊｅｃｔ」であることを示す１６バイトの識別コード（Ｏｂｊｅｃｔ  ＩＤ）、次が８バイトの「Ｃｏｎｔｅｎｔ  Ｄｅｓｃｒｉｐｔｉｏｎ  Ｏｂｊｅｃｔ」のサイズ（Ｏｂｊｅｃｔ  Ｓｉｚｅ）、その次が、タイトルの長さ（Ｔｉｔｌｅ  Ｌｅｎｇｔｈ）、「Ｄｅｓｃｒｉｐｔｉｏｎ  Ｌｅｎｇｔｈ」
、「Ｒａｔｉｎｇ  Ｌｅｎｇｔｈ」が続き、さらに、それぞれの長さ分の「Ｔｉｔｌｅ」、「Ａｕｔｈｏｒ」、「Ｃｏｐｙｒｉｇｈｔ」、「Ｄｅｓｃｒｉｐｔｉｏｎ」、「Ｒａｔｉｎｇ」が挿入されている。
【００５５】
映像記録装置１５４によりＡＳＦ形式の動画ファイルが生成され、記憶媒体３３１に保存されると、ユーザは、その記憶媒体３３１を携帯電話１に装着し、ＡＳＦ形式の動画ファイルを閲覧するモードを選択すると、記憶媒体３３１に保存されている動画ファイルのうち、ＡＳＦ形式の動画ファイルを読み込む。このＡＳＦ形式の動画ファイルのヘッダ情報には、その動画ファイルに関する情報である文字情報（詳細情報）が保存されている。この動画ファイルにおいて、ヘッダ情報の「Ｃｏｎｔｅｎｔ  Ｄｅｓｃｒｉｐｔｉｏｎ  Ｏｂｊｅｃｔ」の「Ｔｉｔｌｅ」部分からタイトル情報を取得すると、第２制御部２２は、携帯電話１のＲＡＭ２４にファイル情報と共に、そのタイトル情報を一時的に記憶する。そして記憶媒体３３１に保存されている動画ファイルからフレーム画像を取得し、このフレーム画像からサムネイル画像を生成し、表示部６に表示させる（図６参照）。生成するサムネイル画像の数は限定されず、表示部６に複数サムネイル画像を表示する。複数のサムネイル画像の中から、ユーザによりキー入力部８が操作され、複数のサムネイル画像のうち一画像が選択されると、第２制御部２２は、選択されたサムネイル画像に対応する動画ファイルの文字情報をＲＡＭ２４から読み出し、取得した文字情報を表示部６に表示する。例えば、記憶媒体３３１に保存されている動画ファイルのサムネイル画像が選択されると、当該動画ファイルが放送された映像コンテンツ（放送番組）である場合には、その文字情報に含まれる放送内容を示す文字情報から、その放送番組のタイトルや、放送時間、放送日時、放送チャンネルなどの情報を取得し、表示部６に表示する。
【００５６】
ここで、図６に、表示部６に表示されるサムネイル画像の一例を示す。図６に示すように、それぞれのＡＳＦ形式の動画ファイルに対するサムネイルＡ〜Ｉがサムネイル表示エリア６００に表示される。情報表示エリア６０１には、キー入力部８のカーソルキー８２の操作によりカーソル位置が移動され、所望のサムネイルが選択されると、選択されたサムネイルに対応するＡＳＦ形式の動画ファイルのタイトル情報が表示される。このタイトル情報表示と共に、選択されたサムネイルのカーソル位置がＲＡＭ２４に記憶される。カーソルキー８２の操作により、カーソル移動量が、表示部６で表示可能な最大値（図６に示す例では、最大９個のサムネイル）を超えると、１０枚以降のサムネイルを表示する処理が実行される。この処理を繰り返すことにより、複数枚のサムネイル画像を見ることが可能である。ユーザは、これらのサムネイル画像から決定キー８１を操作することにより動画ファイルを選択し再生する。
【００５７】
携帯電話１は、記録媒体３３１に保存している動画ファイルを読み出してサムネイル表示する際には、これと同時に動画ファイルのＡＳＦヘッダの解析を実行し、当該動画ファイルは放送された映像コンテンツが変換されたものか、またその場合、定期的な録画情報が有るか否かを判定する。定期的な録画情報は、ユーザが定期的に録画している情報、つまり、定期的に配信される映像コンテンツについて、毎日もしくは毎週録画予約をしているかいなかの録画情報である。従って、定期的な録画情報が有る場合は、その放送番組の番組名、放送曜日、時間、チャンネル等の詳細情報を取得し、これらの情報に基づいて，携帯電話１のＴＶチューナー又は地上波デジタルチューナー９を起動させ、放送を受信する。例えば、ユーザが定期的に放送される映像コンテンツとしてＴＶドラマを録画している場合、その定期的な録画情報から詳細情報を取得することで、ユーザは毎週放送されるＴＶドラマを、携帯電話１でリアルタイムに見ることができる。
【００５８】
なお、この定期的に配信される映像コンテンツの受信は、自動で実行してもよいし、ユーザの設定により実行してもよい。つまり、定期的な録画情報の有無判定の後、定期的な録画情報が有った場合に、視聴予約設定し、上述した放送番組の受信を起動させる構成と
してもよい。本実施形態に係る携帯電話１は、視聴予約設定をユーザに喚起し、視聴予約設定を設定しない場合は、ＲＡＭ２４に記憶する（録画設定する）構成となっている。
【００５９】
一方、視聴予約設定を設定する場合は、登録された放送番組の放送時間（配信時間）になると、ＴＶ信号の受信部となるＴＶチューナー又は地上波デジタルチューナー９を起動してアンテナ１６を通じて指定されたチャンネルの放送の受信を開始する。従って、ユーザは、リアルタイムに受信した番組（映像コンテンツ）を見ることができる。さらに、例えば、登録された番組の配信時間にユーザが会議や電車に搭乗中などの事情により、リアルタイムで放送を見ることが出来なくても、ＲＡＭ２４にその放送番組を自動的に記憶する。
【００６０】
まず、図７のフローチャートを参照して、映像記録装置１５４の内部で実行されるＡＳＦ形式の動画ファイルの作成処理について説明する。
【００６１】
まず、映像記録装置１５４に記録されている映像コンテンツの録画状況を取得し、ＡＳＦフォーマットの「Ｃｏｎｔｅｎｔ  Ｄｅｓｃｒｉｐｔｉｏｎ  Ｏｂｊｅｃｔ」（以下、ＣＯＤ）のＴｉｔｌｅを生成し、映像記録装置１５４に記録されている番組の番組名、チャンネル、タイトル等の文字情報を設定する（ステップＳ１）。ステップＳ１において、ＡＳＦフォーマットのＴｉｔｌｅを生成し、映像記録装置１５４に記録されている番組の番組名、チャンネル、タイトル等の番組情報を設定すると、設定した番組において、定期的な録画情報が有るか否かを判定する（ステップＳ２）。
【００６２】
ステップＳ２において、設定した番組において、定期的な録画情報が有ると判定すると（ステップＳ２；ＹＥＳ）、ＣＯＤのＴｉｔｌｅに、定期的な録画情報（曜日、時間等）を挿入する（ステップＳ３）。ステップＳ３において、ＣＯＤのＴｉｔｌｅに、定期的な録画情報を挿入すると、ＡＳＦヘッダにそのＣＯＤを挿入する（ステップＳ４）。
【００６３】
ステップＳ２において、設定した番組において、定期的な録画情報がないと判定すると（ステップＳ２；ＮＯ）、ＡＳＦヘッダにステップＳ１で生成したＣＯＤを挿入する（ステップＳ４）。ステップＳ４において、ＡＳＦヘッダにステップＳ１で生成したＣＯＤを挿入すると、ＭＰＥＧ２からＨ．２６４形式の動画ファイルに変換し（ステップＳ５）、動画ファイルを作成する（ステップＳ６）。ステップＳ６において、動画ファイルの作成を行うと、処理を終了する。
【００６４】
上述した処理において作成された動画ファイルは、ＰＣカードやＳＤカード等の記録媒体３３１に保存される。この記憶媒体を携帯電話１に装着することにより、これらの動画ファイルを携帯電話１で見ることが可能となる。
【００６５】
次に、図８のフローチャート、図９、１０の表示例を参照して、携帯電話１が有する記憶媒体３３１に記憶する動画ファイルに基づいて実行される処理について説明する。
【００６６】
まず、携帯電話１のメモリカードスロット３３０にＳＤカード等の記憶媒体３３１が装着され、動画再生モードが選択されると、表示部６に記憶媒体３３１に保存されている複数の動画ファイルを解析し、先頭フレームのサムネイル画像と、ＡＳＦヘッダに格納されている番組の番組名、チャンネル、タイトル等の番組情報からなる文字情報とを取得し、サムネイル画像を一覧表示する（ステップＰ１）。そして、ユーザによりカーソルキー８２が操作されたか否かを判断する（ステップＰ２）。カーソルキー８２の操作が検出されなければ一覧表示の状態を維持するが、操作を検出すると、この検出された操作方向にしたがって特定のされた動画ファイルに対応する文字情報を表示する（ステップＰ３）。この状態より、決定キー８１の操作を検出すると、対応する動画ファイルの再生を行うと同
時に（ステップＰ５）、再生終了したか否かを判断する（ステップＰ６）。再生終了しなければステップＰ５に再生を維持するが、再生が終了するとステップＰ１のサムネイル画像の一覧表示に戻る。
【００６７】
一方、ステップＰ４にて決定キー８１の操作を検出しなかった場合、図６の「サブメニュー」の表示に相当するファンクションキー８４の操作が検出されたか否かを判断する（ステップＰ７）。ファンクションキー８４の操作が検出されると、サブメニューリストが表示される（ステップＰ８）。また、ファンクションキー８４の操作が検出されなければステップＰ３に戻る。次に、ステップＰ８においてサブメニューリストが表示されている状態でこのリストに含まれている「視聴予約」が選択されたか否かを判断する（ステップＰ９）。「視聴予約」が選択されなかった場合は、ステップＰ１０にて他の処理を行うが、視聴予約が選択された場合は、当該動画ファイルのＡＳＦデータのヘッダにおいて、ＣＯＤのＴｉｔｌｅに含まれる文字情報に定期的な録画情報が有るか否かを判定する（ステップＰ１１）。
【００６８】
ステップＰ１１において、ＣＯＤのＴｉｔｌｅに定期的な録画情報が無いと判定すると、ステップＰ１７に移行するが、定期的な録画情報が有ると判定すると、選択されたＡＳＦデータのヘッダからその放送番組の、放送曜日、時間、チャンネル等の詳細情報を取得する（ステップＰ１２）。
【００６９】
ステップＰ１２において、動画ファイルから定期的に放送される映像コンテンツ、すなわち、放送番組の詳細情報を取得すると、ポップアップ画面などを使用して，その取得した詳細情報、つまり、放送曜日、時間、チャンネル等の情報を表示し、ユーザにＴＶの視聴予約設定をするか否かの喚起をする（ステップＰ１３）。この視聴予約を設定すると、この放送番組の放送曜日、時間になったときに、ＴＶチューナ又は地上波デジタルチューナー９を起動してアンテナ１６を通じて、この番組の放送の受信を開始する。つまり、携帯電話１により、リアルタイムでこの放送番組を見ることを可能になる。
【００７０】
ステップＰ１３において、ユーザにＴＶの視聴予約設定をするか否かの喚起をすると、ユーザによる決定キー８１の操作検出を待つ（ステップＰ１４）。視聴予約を設定しないことが検出されると、録画予約の設定となり、開始時間にＲＡＭ２４に録画させるように設定し（ステップＰ１５）、ステップＰ３の一覧表示に戻る。
【００７１】
この時の一覧表示は、図９に示すようになっており、カーソルキー８２によって選択されたサムネイル画像６０２は、ステップＰ３で一覧表示された状態と比較して、録画予約設定されていることを示す表示（例えば、サムネイル画像を囲う枠に赤などの特定色を表示させる、点滅させる、もしくは記録媒体をイメージしたアイコンを重畳表示させる等）がなされている。したがって、ユーザは一覧表示されている状態の時、どの動画ファイルについて録画予約設定されているのかが一目で確認できる。
【００７２】
一方、視聴予約を設定すると判定すると、取得した番組の放送曜日、時間、チャンネル等の情報から指定された時間に携帯電話１のＴＶチューナー又は地上波デジタルチューナー９が起動するように登録し（ステップＰ１６）、ステップＰ３の一覧表示に戻る。
【００７３】
この時の一覧表示は、図１０に示すようになっており、カーソルキー８２によって選択されたサムネイル画像６０３は、ステップＰ３で一覧表示された状態と比較して、録画予約ではなく、視聴予約が設定されていることを示す表示（例えば、サムネイル画像を囲う枠に青などの特定色を表示させる、点滅させる、もしくはディスプレイをイメージしたアイコンを重畳表示させる等）がなされている。したがって、ユーザは一覧表示されている状態の時、どの動画ファイルについて視聴予約が設定されているのかが一目で確認できる
。
【００７４】
ステップＰ１１にて、定期的な録画情報が無いと判定すると、次に文字情報に番組名があるか否かを判断する（ステップＰ１７）。文字情報がある場合、ステップＰ１８にて番組表記憶部２８に記憶されている番組表と照合し、所定期間以内、例えば現在時刻より２４間以内に、この番組名で特定される放送番組の放送予定があるかいなかを判断する（ステップＰ１９）。放送予定がある場合ステップＰ１３にてユーザに視聴予約の設定をするか否かの喚起をするが、所定期間を越える場合、ステップＰ１４にて、ユーザによる視聴予約の設定の検出を待つ（ステップＰ１４）。
【００７５】
尚、ステップＰ１７にて、番組名が無いことが判断されると、ユーザによる視聴予約の設定の検出を待つ（ステップＰ２０）。ここで視聴予約の設定を検出すると、ユーザの手動操作（詳細にはテンキー部８５の操作）による視聴予約の設定を行い、指定された時間にＴＶチューナー又は地上波デジタルチューナー９が起動するように登録し（ステップＰ２１）、ステップＰ３の一覧表示に戻る。
【００７６】
尚、視聴予約を設定しないことが検出されると、ステップＰ３の一覧表示に戻る。
【００７７】
以上のように、映像記録装置１５４にて予約して録画した放送番組をＡＳＦ形式の動画ファイル変換する際に、動画ファイルのヘッダにその番組のタイトル、チャンネルの他に、定期的な録画情報、つまり、定期的に放送される放送番組をユーザが録画している情報が有る場合は、その定期的な録画情報が含む放送番組の放送曜日、時間、チャンネル等の詳細情報をＣＯＤのＴｉｔｌｅに設定する。そして、携帯電話１でこの放送番組を再生する際に、これらの情報を取得し、ユーザの設定により、この情報に基づいてＴＶチューナー又は地上波デジタルチューナー９を起動させることにより、ユーザは次の番組予約をしなくても、番組の放送曜日、放送時間に、その放送番組をリアルタイムで楽しむことが可能となる。
【００７８】
また、一度、携帯電話１で放送番組を再生すると、その放送番組の放送チャンネル、曜日、時間を取得し、毎回、放送を受信するため、ユーザは毎週見ている好きな番組をその時間にリアルタイムに見ることができる。従って、放送を受信するための予約設定の必要はなく、予約を忘れてしまったために、例えば、ドラマなどの続きを見逃してしまうという事態を回避可能である。
【００７９】
さらに、ＲＡＭ２４に録画させることが可能であるため、例えば、放送番組の放送時間に、仕事や何らかの事情のため鑑賞することができなくても、記憶部に記憶された動画ファイルを後から再生して鑑賞する事ができる。従って、放送時間帯に束縛されることなく、毎回見たい番組を、見逃すことなく、好きな時間帯に携帯電話１で気軽に楽しむことが可能である。
【００８０】
また定期的な録画予約が無い動画ファイルであっても、文書情報に番組名が登録されていれば、この番組名と、予め、番組表提供サービスによって取得した放送予定とを照合し、放送予定が近ければ、ＴＶ視聴の視聴予約を自動的に設定することができるため、定期的に録画をしておらず、かつ、ユーザが好む番組についても、視聴、もしくは録画をすることが可能である。
【００８１】
尚、本発明においては、携帯電話に本発明を適用させた場合について述べたが、これに限ることなく、デジタル地上波放送受信機能を有する電子機器であればこれに限定されない。
【図面の簡単な説明】
【００８２】
【図１】本実施形態に係るシステム全体の構成を示す図である。
【図２】本実施形態に係る携帯電話１の蓋を開いた状態と閉じた状態の正面図に相当する外観図である。
【図３】本実施形態に係る携帯電話１の回路構成を示すブロック図である。
【図４】本実施形態に係るＡＳＦ形式の動画ファイルのデータ構造を示す概念図である。
【図５】本実施形態に係るＡＳＦ形式の動画ファイルに係るフォーマットの構造を示す概念図である。
【図６】本実施形態に係る携帯電話１の表示画面に一覧表示されるサムネイル画像の一例を示す図である。
【図７】ＡＳＦ形式の動画ファイル作成の処理を示すフローチャートである。
【図８】本実施形態に係る携帯電話１が記憶するＡＳＦ形式の動画ファイルに基づいて実行される処理を示すフローチャートである。
【図９】本実施形態に係る携帯電話１にて一覧表示されるサムネイル画像の表示態様を示す図である。
【図１０】本実施形態に係る携帯電話１にて一覧表示されるサムネイル画像の表示態様を示す図である。
【符号の説明】
【００８３】
１  携帯電話（放送受信装置）
２  蓋部
３  本体部
５  第１スピーカ
６  表示部
７Ｒ  第２スピーカ
７Ｌ  第３スピーカ
８  キー入力部
９  ＴＶチューナー又は地上波デジタルチューナー（放送信号受信手段、放送信号受信部）
１０  マイク
１１  アンテナ（放送信号受信手段、放送信号受信部）
１２  第２ヒンジ部
１３  報知用ＬＥＤ
１６  アンテナ（番組表受信手段）
１７  撮像レンズ
１８  受信信号処理部（放送信号受信手段、放送信号受信部）
１９  通信信号処理部（番組表受信手段）
２０  第１制御部
２１  スイッチ
２２  第２制御部（判断手段、制御手段、照合手段）
２３  プログラムＲＯＭ
２４  ＲＡＭ（映像記録手段）
２５  圧縮・伸張処理部
２６  報知ドライバ
２７  スイッチ処理部
２８  番組表記憶部（番組表記憶手段）
３０  音声出力系ドライバ
３１  コネクタインターフェース
３２  クレイドル用コネクタ
６１  表示ドライバ
６２  表示バッファ
８１  決定キー
８２  カーソルキー
８３、８４  ファンクションキー
８５  テンキー部
９０  第１サイドキー
９１  第２サイドキー
９２  シャッターキー
１００  第１ヒンジ部
１０１  可動部
１０２  固定部
１０３  固定部
１５０  放送局
１５１  データベース
１５２  放送アンテナ
１５３  受像機
１５４  映像記録装置（外部の機器）
１５５  変換部
１６０  番組表提供サービス会社
１６１  データベース
１７０  サービス事業者
１７１  撮像デバイス
１７２  ＤＳＰ
１７３  基地局
１７４  携帯電話
２００  公開情報網
２０１  スイッチ回路
２０２  通信データ処理部
２０３  システムＲＯＭ
２０４  インターフェース処理部
２０５  音声処理部
３３０  メモリカードスロット
３３１  記憶媒体（記憶手段）
６００  サムネイル表示エリア
６０１  タイトル表示エリア
Ｂ１  Ｂ２  放送信号
Ｒ１  Ｒ２  無線信号
【図１】
2006319551.tif 000003
【図２】
2006319551.tif 000004
【図３】
2006319551.tif 000005
【図４】
2006319551.tif 000006
【図５】
2006319551.tif 000007
【図６】
2006319551.tif 000008
【図７】
2006319551.tif 000009
【図８】
2006319551.tif 000010
【図９】
2006319551.tif 000011
【図１０】
2006319551.tif 000012